【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
１つ又はそれより多くのプレナム支持構造を有するプレナム内において使用されるバッフルであって、
当該バッフルからの１つ又はそれより多くのセグメントの分解又は切取りによってツールを有さずにバッフルが寸法付け及び成形されるようにする、複数の垂直方向及び水平方向にけがかれたセグメントと、
１つ又はそれより多くのけがき開口アウトラインと、
を有し、
該１つ又はそれより多くのけがき開口アウトライン内における当該バッフルの一部分は、該部分上への圧力の印加によって当該バッフルから選択的に取り外され得、けがき開口アウトライン内における当該バッフルの一部分の取外し時に、ファスナ受容開口は、当該バッフルが前記１つ又はそれより多くのプレナム支持構造に対して非破壊的且つ取外し可能に取り付けられ得るよう、また他の同様のバッフルに対して取外し可能に相互接続され得るようにする、
バッフル。
【請求項２】
前記１つ又はそれより多くのけがき開口アウトラインのうちの少なくとも１つは、楕円又は長円形に成形され、当該バッフル上において水平方向に向けられる、
請求項１記載のバッフル。
【請求項３】
前記１つ又はそれより多くのけがき開口アウトラインのうちの少なくとも１つは、楕円又は長円形に成形され、当該バッフル上において垂直方向に向けられる、
請求項１記載のバッフル。
【請求項４】
当該バッフルは、難燃性ポリプロピレンから作られる、
請求項１記載のバッフル。
【請求項５】
当該バッフルは、アコーディオン状ひだを更に有する、
請求項１記載のバッフル。
【請求項６】
プレナムにおいて空気流を方向付けるバッフルであって、
複数の水平方向のけがき及び複数の垂直方向のけがきを備えるパネルを有し、
前記複数の水平方向のけがき及び前記複数の垂直方向のけがきは、前記パネルの寸法及び形状を変えるよう前記パネルから選択的に取り外され得る複数のセグメントを定め、
前記複数のセグメントの各々は、けがき開口アウトラインを備える、
バッフル。
【請求項７】
前記パネルは、前記垂直方向のけがきに対して平行であるコーナーの周囲に曲がるよう十分に柔軟性があり、前記パネルは、前記垂直方向のけがきに対して平行であるコーナーの周囲に曲がるよう十分に柔軟性が有る、
請求項６記載のバッフル。
【請求項８】
１つ又はそれより多くのエアブレイドを更に有する、
請求項６記載のバッフル。
【請求項９】
各けがき開口アウトラインは、楕円又は長円形に成形される、
請求項６記載のバッフル。
【請求項１０】
前記パネルは、難燃性ポリプロピレンを有する、
請求項６記載のバッフル。
【請求項１１】
少なくとも２つの近接するけがき開口アウトラインの間の距離は、約１インチである、
請求項６記載のバッフル。
【請求項１２】
各けがき開口アウトラインは、そのセグメントにおいて実質的に中心にされる、
請求項６記載のバッフル。
【請求項１３】
前記パネルによって基本的に構成される、
請求項６記載のバッフル。
【請求項１４】
前記パネルは、実質的に平らな断面を備える、
請求項６記載のバッフル。
【請求項１５】
前記複数のセグメントは、ツールを使用せずに前記パネルから選択的に取り外されるよう適合される、
請求項６記載のバッフル。
【請求項１６】
前記パネルは、実質的に平らな断面を備える、
請求項７記載のバッフル。
【請求項１７】
前記複数のセグメントは、ツールを使用せずに前記パネルから選択的に取り外されるよう適合される、
請求項１６記載のバッフル。
【請求項１８】
前記けがき開口アウトラインは、楕円又は長円形に成形される、
請求項１７記載のバッフル。
【請求項１９】
前記パネルは、難燃性ポリプロピレンを有する、
請求項１８記載のバッフル。
【請求項２０】
少なくとも２つの近接するけがき開口アウトラインの間の距離は、約１インチである、
請求項１９記載のバッフル。
【請求項２１】
各けがき開口アウトラインは、そのセグメントにおいて実質的に中心にされる、
請求項２０記載のバッフル。
【請求項２２】
前記パネルによって基本的に構成される、
請求項２１記載のバッフル。
【請求項２３】
空気流を方向付けるシステムであって、
サブフロアと、
複数の高床タイルと、
前記サブフロアと前記高床タイルとの間において結合される複数のペデスタルと、
１つ又はそれより多くのバッフルと、
複数のファスナと、
を有し、
前記１つ又はそれより多くのバッフルの各々は、パネルを有し、該パネルは、該パネルの寸法及び形状を変えるよう該パネルから選択的に取り外され得る複数のセグメントを形成する複数のけがきを備え、
前記複数のファスナは、前記１つ又はそれより多くのバッフルをペデスタルに対して結合し、前記１つ又はそれより多くのバッフル、前記高床タイル、及び前記サブフロアが空気流を方向付けるようにする、
システム。
【請求項２４】
前記バッフルは、ペデスタルの周囲において曲がるよう十分に柔軟性がある、
請求項２３記載のシステム。
【請求項２５】
各セグメントは、該各セグメントにおいてけがき開口アウトラインを備える、
請求項２４記載のシステム。
【請求項２６】
各けがき開口アウトラインは、楕円又は長円形に成形される、
請求項２５記載のシステム。
【請求項２７】
前記パネルは、難燃性ポリプロピレンを有する、
請求項２３記載のシステム。
【請求項２８】
前記複数のセグメントは、ツールを使用せずに前記パネルから選択的に取り外されるよう適合される、
請求項２３記載のシステム。
【請求項２９】
前記パネルは、実質的に平らな断面を備える、
請求項２３記載のシステム。
【請求項３０】
前記複数のファスナは、ケーブルタイである、
請求項２３記載のシステム。
【請求項３１】
前記バッフルのうち２つを互いに対して結合するリベットを更に有する、
請求項２３記載のシステム。
【請求項３２】
前記２つのバッフルは各々、少なくとも１つの開口を有し、
前記リベットは、前記２つのバッフルを互いに対して結合するよう前記開口を介して延在する、
請求項３１記載のシステム。
【請求項３３】
前記セグメントは、寸法において実質的に均等である、
請求項２３記載のシステム。
【請求項３４】
前記複数のけがきは、複数の水平方向のけがきと複数の垂直方向のけがきとを有する、
請求項２３記載のシステム。
【請求項３５】
空気流を方向付けるシステムであって、
シーリングと、
該シーリングに対して結合される複数のドロップシーリングフレームワーク支持と、
前記フレームワーク支持によって支持される複数のシーリングタイルと、
１つ又はそれより多くのバッフルと、
複数のファスナと、
を有し、
前記１つ又はそれより多くのバッフルの各々はパネルを有し、該パネルは、該パネルの寸法及び形状を変えるよう該パネルから選択的に取り外され得る複数のセグメントを形成する複数のけがきを備え、
前記複数のファスナは、前記１つ又はそれより多くのバッフルを前記フレームワーク支持に対して結合し、前記１つ又はそれより多くのバッフル、前記ドロップシーリングタイル、及び前記シーリングが空気流を方向付けるようにする、
システム。
【請求項３６】
バッフルを使用して床下エアハンドリング空間を区分する方法であって、
該床下エアハンドリング空間は、フロアタイルを支持するペデスタルを備え、前記バッフルは、複数のセグメントを形成する複数のけがきを備えるパネルを有し、前記セグメントのうち少なくとも１つは、けがき開口アウトラインを備え、
当該方法は、
けがき開口アウトライン内におけるパネルの一部分を取り外すことによって開口を形成する段階と、
前記開口を使用して前記バッフルを前記ペデスタルの１つに対して結合する段階と、
を有する方法。
【請求項３７】
前記形成する段階は、前記パネルの前記一部分を取り外すよう前記パネルの該一部分に対して圧力を印加する段階、を有する、
請求項３６記載の方法。
【請求項３８】
前記形成する段階は、ツールを使用せずに前記パネルの前記一部分を取り外す段階、を有する、
請求項３７記載の方法。
【請求項３９】
前記結合する段階は、前記開口及び該開口を通って挿入されるファスナを使用して前記ペデスタルの１つに対して前記バッフルを結合する段階、を有する、
請求項３６記載の方法。
【請求項４０】
前記複数のセグメントのうち１つ又はそれより多くを選択的に取り外すことによって前記バッフルを寸法付ける段階、を更に有する、
請求項３６記載の方法。
【請求項４１】
前記寸法付ける段階は、前記複数のセグメントのうち１つ又はそれより多くのを選択的に切り取る段階、を選択的に有する、
請求項４０記載の方法。
【請求項４２】
バッフルを使用してドロップシーリングのエアハンドリング空間を区分する方法であって、
前記ドロップシーリングのエアハンドリング空間は、シーリングタイルを支持するフレームワーク支持を備え、前記バッフルは、複数のセグメントを形成する複数のけがきを備えるパネルを有し、前記セグメントのうち少なくとも１つは、けがき開口アウトラインを備え、
当該方法は、
前記けがき開口アウトライン内における前記パネルの一部分を取り外すことによって開口を形成する段階と、
前記開口を使用して前記バッフルを前記フレームワーク支持の１つに対して結合する段階と、
を有する方法。
【手続補正２】
【補正対象書類名】明細書
【補正対象項目名】００１０
【補正方法】変更
【補正の内容】
【００１０】
本発明は、現存するプレナム支持構造に対して非破壊的に取り付けられるプレナムパーティションバッフルシステムを与えることによって、技術的にニーズを満たす。当該システムは、高さ及び幅において調節可能である。当該システムは、相互接続可能である可撓性のバッフルパネル（「バッフル」（ｂａｆｆｌｅｓ））の組立体を有する。各バッフルは、第１及び第２の表面を有する。望ましい実施例において、バッフルの少なくとも１つの表面は、バッフルをセグメントに分割するけがかれた（ｓｃｏｒｅｄ）グリッドパターンを有する。本願において使用される「けがかれた（ｓｃｏｒｅｄ）」又は「けがく（ｓｃｏｒｉｎｇ）」という用語は、マーク又は線を有するよう定義付けられる。該マーク又は線は、材料の不完全な切断又は除去を介して表面のマークを作る、けがき、プレスカット、エッチング、又は他の技術によって表面上に作られる。けがかれたグリッドの基本的な形状は、望ましくは矩形であるが、制限的ではなく、多角形、円形、長円形、又は楕円形を含む他の規則正しい形状でもあり得る。グリッドパターンは、可変且つ不規則な形状を有してもよい。けがかれたセグメントによって、バッフルは、けがかれたグリッド線に沿ってバッフルのセグメントを分解すること又は切り取ること（ｂｒｅａｋｉｎｇ  ａｐａｒｔ  ｏｒ  ｔｅａｒｉｎｇ  ｏｆｆ）によって単純に寸法付けられ且つ形成され得る。故にバッフルは、その場でツールを有しても有さなくても寸法付けられ且つ形成され得る。その取外し可能にセグメント化された構造により、ケーブル、配管、及びプレナムにおける他の建物インフラストラクチャは、システムにおいてバッフルを介して与えられ、適用可能な機器に直接与えられる。
【手続補正３】
【補正対象書類名】明細書
【補正対象項目名】００１７
【補正方法】変更
【補正の内容】
【００１７】
図４に示される通り、バッフル２１の望ましい実施例は、その表面の少なくとも１つへとけがかれた基本セグメント（ｅｌｅｍｅｎｔａｌ  ｓｅｇｍｅｎｔｓ）２３を有する。望ましい実施例では、基本セグメント２３は、矩形である。矩形は、水平方向及び垂直方向のけがき線（ｓｃｏｒｅｄ  ｌｉｎｅｓ）２５によって作られる。該けがき線により、バッフル２１は、１つ又はそれより多くの所望される場所において所望される数のセグメント２３を取り外すことによって再度寸法付けられるか、あるいは再度成形され得る。水平方向及び垂直方向のけがき線２５により、バッフル２１の一部は、取り外され得、より正確なシステム１９を達成し、バッフルのセグメントを分解すること又は切り取ることによってツールを使用することなく、寸法付け又は成形するようにされる。バッフルのセグメントは、図５に示される通り、バッフル２１に１つ又はそれより多くの明確な開口３１を与えるよう、取り外され得る。セグメント２３は、バッフル２１の一部がケーブルトレイ開口２９又は他の開口３１を収容するよう取り外され得る。図５は、ケーブル１５又は他の機器に対する配線管を与えるよう、ケーブルトレイ１７及び可撓性のセルフシールダム（ｓｅｌｆ−ｓｅａｌｉｎｇ  ｄａｍ）３３を受容する明確な開口を有するバッフルを示す。バッフル２１の取り外された部分は、バッフル２１又はバッフル２１の一部をバッフル２１又はシステム１９の特定の領域に対して単純に加えることによって、継ぎ合わされ得るか、あるいは修正され得る。